(57)【要約】      （修正有）【課題】  ペットの排泄物除去処理や砂箱環境衛生等、飼い主の負担を効率良く軽減、省力化を目的とする、ペット用排泄分別機能つき左右移動砂箱を提供する。【解決手段】  回転軸１と、変換用フットペダル７を底に持つ二重容器内蔵のペット砂箱４を、左右交互に９０度変換移動させ、同時に排泄分別と清潔砂箱となるペット用排泄分別機能つき左右移動砂箱。【選択図】図１
2006174819.tif 000002
【特許請求の範囲】
【請求項１】
頂点を直角とする三角柱と、１／２円柱丸底合体の回転軸を底に持つ二重容器内蔵のペット砂箱が、変換用フットペダルにより、左右９０度変換移動、同時に排泄物と清潔砂箱に分別する、ペット用排泄分別機能つき左右移動砂箱。
【発明の詳細な説明】
【技術分野】
【０００１】  本発明は、ペット砂箱を左右９０度移動変換と同時に排泄分別する、ペット用排泄分別機能つき左右移動砂箱に関する。
【背景技術】
【０００２】  従来のペットの排泄物除去処理作業は、排泄物の固まりを小さなシャベルで除去する方法と、既に商品化されているチップ砂の厚紙敷き砂箱や、砂に直接消臭薬品をふり、下段の敷紙でペットの尿を受ける砂箱がある。【０００３】  また、通信販売での猫トイレ（非特許文献１）や外国製猫トイレ（非特許文献２）がある。【０００４】
【非特許文献１】日本通販    Ｉ  ＬＯＶＥ  ＳＨＯＰ  カタログ  Ｖｏｌ．８  Ｐ７７  キャットワレ  商品番号ｗＬ−２０５５  ｗｗｗ．６６６−６６６．ｃｏ．ｊｐ
【非特許文献２】Ｃｌｉｎｉｃ  Ｃｌｕｂ  クリニッククラブ  カタログ  ｖｏｌ．３  Ｐ３５  イタリア製猫トイレ  ＭＡＧＩＸ  ｈｔｔｐ：／／ｗｗｗ．ｉｎｔｅｒｚｏｏ−ｐｅｔ．ｃｏｍ
【発明の開示】
【発明が解決しようとする課題】
【０００５】  以上に述べた従来のペットの排泄物除去目的の各種砂箱は、ペットの尿については数日持ちこたえる機能構造だが、フンの固まりは毎日その都度除去を必要とする。
現実は、強烈な悪臭を伴うペットの尿を数日放置しておく事は無理である。【０００６】  本発明は、わずらわしいペットの排泄物除去処理、衛生的な砂箱環境の維持等、飼い主の負担軽減、効率と省力化を目的とする。
【課題を解決するための手段】
【０００７】  本発明は、砂箱容器と近年の猫砂軽量化により、ペット砂箱を左右交互に９０度変換移動を容易にした。【０００８】  回転軸土台に装置の変換用フットペダルを踏み、左右交互に９０度変換した、二重容器内蔵のペット砂箱が、砂移動により砂箱中央装置の着脱分別容器で瞬時にペットの排泄物と清潔砂に分別する、ペット用分別機能付左右移動砂箱である。
【発明の効果】
【０００９】  ペットの排泄物を分別する回転軸土台に装着のフットペダル使用は、足にかかる人間の体重で軽々と左右変換を可能とする。【００１０】  従来のペット排泄物除去処理作業の諸問題、悪臭、粉塵、固まりの崩れ、手の汚れ、高齢の飼い主の無理な姿勢による後処理等を解消。【００１１】  この左右移動砂箱機能は、フットペダルの変換使用、着脱分別容器取っ手を持ち上げ、ペット排泄物処分というニ行程で除去を完了する。
【発明を実施するための最良の形態】
【００１２】  以下、本発明の実施の形態を図１〜図４に基づいて説明する。【００１３】  図１で示す回転軸土台１、２と一体の外側容器３の内側には、外側容器の２／３の大きさの小さい一個のペット用分別機能つき砂箱４内蔵の二重容器構成となっている。【００１４】  図１で示す回転軸１装着のフットペダル７は、回転軸１と連動し左右交互に移動、回転軸土台１、２上の二重容器内蔵のペット砂箱４のみが、左から右へ変換移動、同時に砂も移動し、瞬時にペットの排泄物と清潔な砂箱とに分別完了する。【００１５】  図２の回転軸土台１、２の構造形態は、直角９０度を頂点とする三角柱と、１／２円柱丸底を合体構成の回転軸１に左右に延長土台２を付けた回転基盤である。
回転軸１の左右両端には、変換用のフットペダル７が２個装着される。
回転軸土台１、２上には、外側容器３が一体構成となり、中には内蔵のペット砂箱との二重容器となる。【００１６】  図４で示す、ペット砂箱中央設置の排泄物を分別する装置の着脱分別容器６と、固定角ワク５の構造形態を説明する。【００１７】  ペットの排泄物分別装置の要となる、固定角ワク５は図４で示す外側容器３の外側中央位置に一本と、ペット砂箱４縁まわり８空間をはさんで一本、計二本を両側面同様に固定角ワク用のバーでつないだ固定用太い角ワク５である。
固定角ワク５がペット砂箱縁まわり８の間を開けて装着する理由は、ペット砂箱４を左右交互に移動しやすくするためである。【００１８】  この固定角ワク５は角で着脱分別容器６の落下を防ぐように収められ、確実にペットの排泄物分別をする。
ペット砂箱４洗浄は、外側容器３の外側両サイドの固定角ワク５を収める突起バー９から固定角ワク５を外し、着脱分別容器６も外して洗浄する。【００１９】  着脱分別容器６の構造形態は、左右交互に移動するペット砂箱４内の排泄物を左右両面から分別できる、底が広めとなっている二つの長方形箱の形状である。
分別容器６の上部と側面は板状、中央の砂移動面と底の面は、頑丈な厚い砂粒が通過しやすい大きさの網目形状で、分別容器上側には着脱用取っ手１０がある。【００２０】  砂防止カバー１１の構造形態は、外側容器３の前後設置の折りたたみ形状で、変換移動のときは前後、両側より砂防止カバー１１をペット砂箱４中央で二重に掛け合わせ装着し、落下砂を防止する。【００２１】  ペット砂箱４縁まわり８は外側容器縁まわりと二重のパイプ形状となっている。
左から右へ９０度変換移動時、ペット砂箱４は縁まわり８ごと外側容器３縁まわりの上をゆっくりすべるように移動、落下やずれる問題はない。
【実施例】
【００２２】  回転軸の回転利用で、左右移動が極端に急激な動きではなく、１／２円柱丸底により緩やかにゆっくり回転する。また、円柱ではなく半分の円柱分にする事で、オーバーランする問題もなく、左右必要な距離移動をする。【００２３】  移動変換後のペット砂箱形態は、着脱分別容器内にペットの排泄物がある、１／５箱を上部に残した、４／５箱が清潔砂箱となった、移動後のペットの砂箱がある。【００２４】  土台上部の形状、外側容器底、ペット砂箱底、これら三ヶ所は９０度変換を緩やかな動きとするため、カーブ形状となっている。【００２５】  内蔵のペット砂箱は、外側容器と二重容器にすることにより、外側容器に固定角ワクや砂防止カバーの装置がつけられ、また、ペット砂箱を安全に機能できる。
【産業上の利用可能性】
【００２６】  既に商品化のペット用各種砂箱は、それぞれ一長一短の未解決分野となっている。
この排泄分別機能つき左右移動砂箱は煩わしいペットの排泄物除去処理を二行程で瞬時に分別完了する。
省力化と、経済面や衛生性を考慮したことにより、高齢者や、仕事を持つ忙しいシングルの飼い主に今までの面倒なペットの排泄処理を、安全に楽に、又、早く解決し喜ばれるペットの砂箱である。
【図面の簡単な説明】
【００２７】
【図１】  本発明の分別機能つき左右移動砂箱  斜視図
【図２】  同砂箱  回転軸土台の斜視図
【図３】  同砂箱の側面図
【図４】  同砂箱  着脱分別容器装着の斜視図
【符号の説明】
【００２８】        １    回転軸
２    土台
３    外側容器
４    ペット砂箱
５    固定角ワク
６    着脱分別容器
７    フットペダル
８    縁まわり
９    突起バー
１０  着脱分別容器の取っ手
１１  砂防止カバー
１２  外側容器装着縁
【図１】
2006174819.tif 000003
【図２】
2006174819.tif 000004
【図３】
2006174819.tif 000005
【図４】
2006174819.tif 000006